(57)【要約】      （修正有）【課題】保護フィルムを正確に位置付け貼り付けるバーフォン及びタブレットパソコンの保護フィルムのフィルム貼り付け装置を提供する。【解決手段】基台上には、収納溝、フィルムシートセット固定用ソケット２、携帯電話及びタブレットパソコン用ソケット１が設けられる。アクティブバッテン組合せセット３は、ピンチローラー４、金属またはプラスチックの軸、レールフープを含む。フィルムシートセットは、固定シート、セパレートシート、保護フィルム、連絡フィルム、サポートフィルムを含み、固定シート、セパレートシート、保護フィルム、連絡フィルム、サポートフィルムが順次に接続され、保護フィルムはメインフィルムとサブフィルムとの両層を含み、サブフィルムの下にセパレートシートが貼り付けられる。【選択図】図１
0003182856.tif 000002
【実用新案登録請求の範囲】
【請求項１】
基台、アクティブバッテン組合せセット及びフィルムシートセットを備え、
前記基台には、収納溝、フィルムシートセット固定用ソケット、及び、携帯電話またはタブレットパソコン用ソケットが設けられており、
前記基台の左右両側にはレールソケットが設けられており、
前記アクティブバッテン組合せセットは、ピンチローラー、金属またはプラスチックの軸、及び、レールフープを含み、
前記金属またはプラスチックの軸が、前記ピンチローラーに同心状に貫通するように設置され、
前記フィルムシートセットは、固定シート、セパレートシート、保護フィルム、連絡フィルム、及び、サポートフィルムを含み、
前記固定シート、前記セパレートシート、前記保護フィルム、前記連絡フィルム、及び、前記サポートフィルムが順次に接続され、
前記保護フィルムは、メインフィルムとサブフィルムとの両層を含み、前記サブフィルムの下にセパレートシートが設置されていることを特徴とするバーフォン及びタブレットパソコンの保護フィルムのフィルム貼り付け装置。
【請求項２】
前記金属またはプラスチックの軸の両端にそれぞれ前記レールフープが取り付けられていると共に、二つの前記レールソケットの中に入れられていることを特徴とする請求項１に記載のバーフォン及びタブレットパソコンの保護フィルムのフィルム貼り付け装置。
【請求項３】
前記ピンチローラーは、シリカゲルにより形成されていることを特徴とする請求項１または２に記載のバーフォン及びタブレットパソコンの保護フィルムのフィルム貼り付け装置。
【考案の詳細な説明】
【技術分野】
【０００１】
本考案は、貼り付け装置に関し、特にバーフォン（ストレート型携帯電話）及びタブレットパソコンに広く利用された保護フィルムのフィルム貼り付け装置に関する。
【背景技術】
【０００２】
現在、市販されている携帯電話及びタブレットパソコンのフィルムの貼り付け作業は、全部手動でやられている。手動でフィルムを貼り付けるのは、手でフィルムシートを剥して携帯電話の表面のスクリーンに付着させる作業である。手動でフィルムを貼り付けるには、作業者の操作が非常に熟練していることが必要である。しかし、携帯電話の表面の要求が厳しい場合、または、携帯電話にフィルムを貼り付ける位置が正確に位置付けられない場合には、位置ずれが発生しやすい。例えば気泡、すり傷などが現れ、この場合、フィルムシートを貼り付け直しまたは変更することが必要となり、そうすると、時間もフィルムシートも無駄にしてしまう。要するに、手動でフィルムを貼り付ける作業は煩雑で効率が低く、フィルムの貼り付け効果も保証できない。
【考案の概要】
【考案が解決しようとする課題】
【０００３】
本考案の目的は、携帯電話のフィルム貼り付け位置を正確に位置付けられ、自動的にフィルムを貼り付けることが実現でき、便利且つ高効率で、フィルムを貼り付ける効果も優れた、バーフォン及びタブレットパソコンの保護フィルムのフィルム貼り付け装置を提供することである。
【０００４】
上記課題を解決するため、本考案において下記の技術的手段を採用する。バーフォン及びタブレットパソコンの保護フィルムのフィルム貼り付け装置は、基台、アクティブバッテン（press stripまたはbatten）組合せセット、及び、フィルムシートセットを含み、前記基台には収納溝、フィルムシートセット固定用ソケット、及び、携帯電話またはタブレットパソコン用ソケットが設けられており、基台の左右両側にはレールソケットが設けられており、前記アクティブバッテン組合せセットは、ピンチローラー、金属またはプラスチックの軸、及び、レールフープを含み、金属またはプラスチックの軸がピンチローラーに同心状に貫通し、また、金属またはプラスチックの軸の端部にレールフープが取り付けられており、前記フィルムシートセットは、固定シート、セパレートシート、保護フィルム、連絡フィルム、及び、サポートフィルムを含み、前記固定シート、セパレートシート、保護フィルム、連絡フィルム、及び、サポートフィルムが順次に接続され、前記保護フィルムはメインフィルムとサブフィルムとの両層を含み、サブフィルムの下にセパレートシートが貼り付けられている。
【０００５】
前記レールソケットが二つあると共に、前記レールフープも二つある。前記レールフープのそれぞれは金属またはプラスチックの軸の両端に取り付けられ、また二つのレールソケットの中に入れられている。前記ピンチローラーはフレキシブルプラスチック、例えばシリカゲルにより形成されている。
【０００６】
基台上の各部品の機能を紹介する。基台上の収納溝はアクティブバッテン組合せセットが利用されない時に戻されて収納するためのものであり、装置胴体の体積を小さくすると共に包装も便利になる構造である。固定用ソケットは、フィルムシートセットの固定シートを設置するための構造である。携帯電話及びタブレットパソコン用ソケットは、携帯電話またはタブレットパソコンを設置・固定するための構造である。レールソケットはアクティブバッテン組合せセットの動作に合わせるためのレールである。
【０００７】
フィルムシートセットの各部品の機能を紹介する。セパレートシート上に両面テープで保護フィルムを固定させる。固定シートは保護フィルムと接続するものであり、また、取付基台上の固定用ソケットの中に適用されるものである。連絡フィルムは固定シート及び保護フィルムを接続するための粘性フィルムシートであり、連絡フィルムには特別な取外し可能な膠質が固定されてあり、被貼付面にのりを残すまた落ちることが許されない。サポートフィルムは保護フィルムにおけるサブフィルム上に貼り付けられるものであり、保護フィルムにおけるサブフィルムが分離するときの離れる力を大きくするための構造である。
【０００８】
作業方式：携帯電話またはタブレットパソコンを基台における携帯電話及びタブレットパソコン用ソケットに入れた後、フィルムシートセットを正しく基台におけるフィルムシートセット用ソケットに取り付けて、指先でアクティブバッテン組合せセットをつかみながら、レールフープを基台のレールソケットに沿って尾部まで押し通す。押し通されるとき、アクティブ組合せセット上の鋭い先端がセパレートシートを押し上げる。連絡フィルムが保護フィルムにおけるメインフィルムを引き留めるとき、セパレートシート上に保護フィルムを固定するためのサブフィルムがメインフィルムと離れ始め、離れるとき、保護フィルムにおけるサブフィルムが最初に弾いて離れるようになるからである。このとき、ピンチローラーの作用で、メインフィルムは携帯電話またはタブレットパソコンの表面上に付着し始める。アクティブバッテン組合せセットがレールの末に達すると、メインフィルムが完全に携帯電話またはタブレットパソコンの表面上に付着すると共に、サブフィルムも完全にメインフィルムと離脱され、このとき、連絡フィルムを剥して固定シートも一緒に取り下げてから、携帯電話またはタブレットパソコンを取り出すと、一連のフィルム貼り付け作業が完了される。
【０００９】
作業時、アクティブバッテン組合せセットと基台とは９０°の状態を成し、レールに合わせて動作する。作業しないとき、基台と水平状態にすることにより体積を小さくすることができる。取り付けた後、基台とアクティブバッテン組合せセットとが一体化となる。フィルムシートセットは一つの別体の部品であり、フィルムを貼り付けるとき、取り付けないと、フィルムを貼り付ける作業が実施できない。
【００１０】
本考案によれば、下記の有益な効果が得られる。携帯電話及びタブレットパソコンにフィルムを貼り付ける位置が正確に位置付けられ、快速且つ有効的にフィルムシートを携帯電話またはタブレットパソコンの表面に貼り付けることができ、行動能力を有する人間の誰であっても、自ら簡単に操作でき、また、手動でフィルムを貼り付ける時発生しやすい気泡、皺、位置ずれなどの不良効果を回避できる。
【図面の簡単な説明】
【００１１】
【図１】本考案に係る基台の全体的な概略構造図である。
【図２】本考案に係るフィルムシートセットの上面図である。
【図３】本考案に係るフィルムシートセットの側面図である。
【図４】本考案に係るフィルムシートセットの底面図である。
【図５】本考案に係るフィルムシートセパレートの概略構成図である。
【考案を実施するための形態】
【００１２】
以下は、図面及び実施例を参照しながら本考案をさらに説明する。
【００１３】
図１〜５に示されるように、バーフォン保護フィルムのフィルム貼り付け装置は基台、アクティブバッテン組合せセット、フィルムシートセットを含み、前記基台には収納溝、フィルムシートセット固定用ソケット、携帯電話及びタブレットパソコン用ソケットが設けられており、基台の左右両側にはレールソケットが設けられている。前記アクティブバッテン組合せセットには、ピンチローラー、金属またはプラスチックの軸、レールフープを含み、金属またはプラスチックの軸はピンチローラーに同心状に貫通し、また、アクティブバッテンブラケットの下段の軸心上にレールフープが設置されている。前記フィルムシートセットには、固定シート、セパレートシート、保護フィルム、連絡フィルム、サポートフィルムを含み、前記固定シート、セパレートシート、保護フィルムが順次に接続され、前記フィルムシートは、メインフィルムとサブフィルムとの両層を含み、サブフィルムの下にセパレートシート及びサポートフィルムが固定されている。
【００１４】
前記レールソケットは二つがあると共に、前記レールフープも二つがある。前記レールフープのそれぞれは金属またはプラスチックの軸の両端に取り付けられ、また二つのレールソケットの中に入れられている。
【００１５】
前記ピンチローラーは、フレキシブルプラスチックから形成されたものであり、例えばシリカゲルにより形成されている。
【００１６】
携帯電話１１を基台における携帯電話及びタブレットパソコン用ソケット１に入れた後、フィルムシートセットを正しく基台におけるフィルムシートセット固定用ソケット２上に取り付ける。
【００１７】
指先でアクティブバッテン組合せセット３をつかみながら、レールフープを基台のレールソケットに沿って尾部まで押し通す。押し通されるとき、アクティブ組合せセット上の鋭い先端がセパレートシート９に作用し、鋭い先端がセパレートシート９を押し開け、サブフィルム６とメインフィルム５が離れ始める。このとき、ピンチローラー４により押されると、サブフィルム６がサポートフィルム１０の作用で速やかに弾いて離れ、メインフィルム５は携帯電話１１の表面上に付着し始める。アクティブバッテン組合せセット３がレールの末に達すると、メインフィルム５が完全に携帯電話１０の表面上に付着されると共に、サブフィルム６も完全にメインフィルム５と離脱され、このとき、連絡フィルム７を剥して固定シート８も一緒に取り下げてから、携帯電話１１を取り出すと、一連のフィルム貼り付け作業が完了される。
【００１８】
本考案は、上記具体的な実施形態に限定されたものではなく、上記明細書の掲載及び指導に基づき、本考案に係る分野に属される技術者は上記実施形態を適当に変更及び修正することができ、その変更も本考案の請求書の保護範囲に定めると認められるべきだろう。なお、本明細書の中ではある程度の専門用語が使われているが、これらは説明の便利のため、本考案に対する制限がないものと認められる。
【符号の説明】
【００１９】
１、携帯電話及びタブレットパソコン用ソケット
２、フィルムシートセット固定用ソケット
３、アクティブバッテン組合せセット
４、ピンチローラー
５、メインフィルム
６、サブフィルム
７、連絡フィルム
８、固定シート
９、セパレートシート
１０、サポートフィルム
１１、携帯電話
【図１】
0003182856.tif 000003
【図２】
0003182856.tif 000004
【図３】
0003182856.tif 000005
【図４】
0003182856.tif 000006
【図５】
0003182856.tif 000007